(57)【要約】【課題】表出した情報を見にくくすることなく、シート上に付与された隠蔽情報を確実に隠蔽する。【解決手段】宛先情報を印字するための宛先情報印字領域１３が一方の面に設けられた宛先情報記載片１０が貼着された隠蔽情報記載片２０を折り畳んで剥離可能に貼着した場合に、隠蔽情報記載片２０に印字された明細情報が、隠蔽情報記載片２０に設けられた遮光印刷層２３と地紋印刷層２４とに挟まれるような構成とする。【選択図】図１
2008055685.tif 000002
【特許請求の範囲】
【請求項１】
折り部を介して折り畳み可能に連接された第１紙片部と第２紙片部とからなり、折り畳まれることによって、折り畳み状態内側となる面に付与された隠蔽情報を隠蔽する隠蔽シートであって、
折り畳み状態内側となる面に貼着後の剥離が可能な接着構造を有し、
前記第１紙片部は、互いに貼着された２枚のシートを有し、折り畳み状態外側となる面に表示情報が付与されるとともに、折り畳み状態内側となる面から前記表示情報が付与される面との間に、当該第１紙片部を透かしての前記隠蔽情報の判読を不可能とする第１の隠蔽構造が設けられ、
前記第２紙片部は、当該第２紙片部を透かしての前記隠蔽情報の判読を不可能とする第２の隠蔽構造が設けられている隠蔽シート。
【発明の詳細な説明】
【技術分野】
【０００１】
本発明は、シート上に付与された情報を隠蔽する隠蔽シートに関する。
【背景技術】
【０００２】
近年、情報化社会の進展に伴って、情報を用いた手続きや処理が一般化している。その中で、このように手続きや処理に用いられる情報が不正あるいは偶発的に取得され、悪用されるケースが多発している。
【０００３】
そのため、情報の不用意な流通を避けることが要求されており、例えば、情報を伝達するはがきにおいては、表面に宛先情報が記載されるとともにその裏面に隠蔽情報が記載されたはがき片と、一方の面に地紋が印刷された隠蔽片とが折り畳み可能に連接し、このはがき片と隠蔽片とが剥離可能に貼着される情報隠蔽はがきが考えられている（例えば、特許文献１参照。）。この情報隠蔽はがきにおいては、はがき片の隠蔽情報が記載された面が内側となるように折り畳まれてはがき片と隠蔽片とが剥離可能に貼着されることにより、はがき片に記載された隠蔽情報が隠蔽され、さらに、隠蔽片に印刷された地紋によって隠蔽情報を透かして見ることを困難としている。
【特許文献１】特開平１０−２６４５５９号公報
【発明の開示】
【発明が解決しようとする課題】
【０００４】
しかしながら、上述したようにはがき片と隠蔽片とが折り畳み可能に連接した情報隠蔽はがきにおいては、隠蔽片が剥離可能に貼着された面側からは、隠蔽情報は地紋によって透かして見ることが困難となるものの、はがき片側からは隠蔽情報が透かして見られてしまう虞れがあり、隠蔽情報を確実に隠蔽できるとは言いがたい。そこで、はがき片と隠蔽片とが折り畳まれた場合に地紋に隠蔽情報が挟まれるように地紋を印刷することが考えられるが、その場合、はがき片の宛先情報が記載された面に地紋を印刷することになり、宛先情報が見にくくなって好ましくない。
【０００５】
本発明は、上述したような従来の技術が有する問題点に鑑みてなされたものであって、表出した情報を見にくくすることなく、シート上に付与された隠蔽情報を確実に隠蔽することができる隠蔽シートを提供することを目的とする。
【課題を解決するための手段】
【０００６】
上記目的を達成するために本発明は、
折り部を介して折り畳み可能に連接された第１紙片部と第２紙片部とからなり、折り畳まれることによって、折り畳み状態内側となる面に付与された隠蔽情報を隠蔽する隠蔽シートであって、
折り畳み状態内側となる面に貼着後の剥離が可能な接着構造を有し、
前記第１紙片部は、互いに貼着された２枚のシートを有し、折り畳み状態外側となる面に表示情報が付与されるとともに、折り畳み状態内側となる面から前記表示情報が付与される面との間に、当該第１紙片部を透かしての前記隠蔽情報の判読を不可能とする第１の隠蔽構造が設けられ、
前記第２紙片部は、当該第２紙片部を透かしての前記隠蔽情報の判読を不可能とする第２の隠蔽構造が設けられている。
【０００７】
上記のように構成された本発明においては、表示情報及び隠蔽情報が付与された後、隠蔽情報が付与された面が内側となるように折り畳まれ、接着構造によって第１紙片部と第２紙片部とが剥離可能に貼着される。すると、第１紙片部に付与された表示情報が表出するとともに、隠蔽情報が第１紙片部と第２紙片部とによって隠蔽された状態となる。ここで、第１紙片部には、折り畳み状態内側となる面から表示情報が付与される面との間に第１の隠蔽構造が設けられているため、第１紙片部側から透かされた場合であっても、この第１の隠蔽構造によって隠蔽情報が透かして判読されることが防止される。その際、第１紙片部の表示情報が付与される面には、隠蔽情報を隠蔽するための隠蔽構造が設けられていないため、第１紙片部に付与された表示情報が見にくくなることがない。また、第２紙片部には第２の隠蔽構造が設けられているため、第２紙片部側から透かされた場合であっても、この第２の隠蔽構造によって隠蔽情報が透かして判読されることが防止される。
【発明の効果】
【０００８】
以上説明したように本発明においては、第１紙片部の折り畳み状態内側となる面から表示情報が付与される面との間に設けられた第１の隠蔽構造によって、第１紙片部側から透かされた場合であっても、表示情報を見にくくすることなく隠蔽情報を隠蔽することができ、また、第２紙片部に設けられた第２の隠蔽構造によって、第２紙片部側から透かされた場合であっても、隠蔽情報を隠蔽することができる。
【発明を実施するための最良の形態】
【０００９】
以下に、本発明の実施の形態について図面を参照して説明する。
【００１０】
（第１の実施の形態）
図１は、本発明の隠蔽シートの第１の実施の形態となる隠蔽はがきを示す図であり、（ａ）は積層構造を示す図、（ｂ）は（ａ）に示したＡ−Ａ’断面図である。図２は、図１に示した隠蔽情報記載片２０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。図３は、図１に示した宛先情報記載片１０の構成を示す図であり、（ａ）は表面の構成を示す図、（ｂ）は隠蔽情報記載片２０との貼着面の構成を示す図、（ｃ）は（ａ）に示したＡ−Ａ’断面図である。
【００１１】
本形態は図１に示すように、宛先情報記載片１０と隠蔽情報記載片２０とが粘着剤３０ａによって貼着されて構成されている。粘着剤３０ａは、宛先情報記載片１０と隠蔽情報記載片２０とを人手によって剥離しようとした場合に、宛先情報記載片１０や隠蔽情報記載片２０に紙むけ等が生じる程度に強い粘着力を有するものであり、それにより、宛先情報記載片１０と隠蔽情報記載片２０とは人手によって剥離することが困難に貼着されている。
【００１２】
隠蔽情報記載片２０は図１及び図２に示すように、第１紙片部２１ａと第２紙片部２１ｂとが折り部２２を介して折り畳み可能に連接して構成されており、折り畳み状態内側となる面には、この隠蔽はがきの送付先に隠蔽状態にて通知する隠蔽情報となる明細情報を印字するための明細情報印字領域２５が設けられるとともに、その全面に圧力により自己のみが貼着可能な自己貼着性を有する粘着剤３０ｂが塗布され、折り部２２を介して折り畳んで加圧することにより第１紙片部２１ａと第２紙片部２１ｂとが互いに剥離可能に貼着される接着構造が形成されている。なお、折り部２２はミシン目や折り線等によって構成される。また、粘着剤３０ｂは、隠蔽情報記載片２０に塗布された後でも隠蔽情報記載片２０に対して筆記性を持たせることができるものである。第１紙片部２１ａの折り畳み状態外側となる面には、外周を除く全面に第１の隠蔽構造となる遮光印刷層２３が形成されている。遮光印刷層２３は、例えば、カーボンブラック等の遮光性を有する黒色系塗料が隠蔽情報記載片２０上に塗工されることにより形成することが考えられる。また、黒色系塗料ではなく濃色の塗料を塗工することにより遮光印刷層２３を形成してもよく、その塗料の塗工の方法は、版に塗料を付けて行う一般的な印刷や、スクリーン印刷等、適宜の方法を用いて行うことが考えられる。第２紙片部２１ｂの折り畳み状態外側となる面には、第１紙片部２１ａと第２紙片部２１ｂとの連接方向に延びる２辺に沿う領域を除く全面に、地紋が印刷されることにより第２の隠蔽構造となる地紋印刷層２４が形成されている。
【００１３】
宛先情報記載片１０は図１及び図３に示すように、第１紙片部１１ａのみから構成されており、その表面には、この隠蔽はがきの送付先の住所や氏名等を示す表示情報となる宛先情報を印字するための宛先情報印字領域１３が設けられている。裏面には、その全面に粘着剤３０ａが塗布されており、この面が貼着面となって隠蔽情報記載片２０の第１紙片部２１ａの遮光印刷層２３が設けられた面に貼着されている。
【００１４】
以下に、上記のように構成された隠蔽はがきの作製方法について説明する。
【００１５】
まず、宛先情報記載片１０の一方の面に、料金別納を示す情報等の隠蔽はがきの送付先によらずに共通の情報のプレ印刷を施し、隠蔽はがきの送付先の住所や氏名等を示す宛先情報を印字するため宛先情報印字領域１３を設ける。
【００１６】
また、隠蔽情報記載片２０については、その一方の面に、枠情報等のプレ印刷を施すことにより、隠蔽はがきの送付先に隠蔽状態にて通知する明細情報を印字するための明細情報印字領域２５を設け、また、他方の面においては、第１紙片部２１ａに上述したような遮光性を有する塗料を塗工することにより遮光印刷層２３を設けるとともに、第２紙片部２１ｂに地紋を印刷することにより地紋印刷層２４を設ける。
【００１７】
次に、隠蔽情報記載片２０の明細情報印字領域２５が設けられた面の全面に粘着剤３０ｂを塗布する。なお、粘着剤３０ｂの塗布においては、隠蔽情報記載片２０に明細情報印字領域２５を設ける前に行ってもよい。
【００１８】
その後、宛先情報記載片１０の宛先情報印字領域１３が設けられた面とは反対側の面の全面に粘着剤３０ａを塗布し、宛先情報記載片１０と隠蔽情報記載片２０とを、宛先情報記載片１０の粘着剤３０ａが塗布された面と隠蔽情報記載片２０の第１紙片部２１ａの遮光印刷層２３が形成された面とが対向するように重ね合わせ、粘着剤３０ａによって宛先情報記載片１０と隠蔽情報記載片２０とを貼着し、それにより、図１に示したように、第１紙片部１１ａ，２１ａと第２紙片部２１ｂとが折り部２２を介して折り畳み可能に連接した隠蔽はがきを作製する。
【００１９】
以下に、上述した隠蔽はがきの使用方法について説明する。
【００２０】
まず、宛先情報記載片１０の宛先情報印字領域１３に、隠蔽はがきの送付先の住所や氏名等を示す宛先情報を印字するとともに、隠蔽情報記載片２０の明細情報印字領域２５に、隠蔽はがきの送付先に隠蔽状態にて通知する明細情報を印字する。なお、隠蔽情報記載片２０の明細情報印字領域２５においては、粘着剤３０ｂが塗布されているが、粘着剤３０ｂは上述したように隠蔽情報記載片２０に塗布された後でも隠蔽情報記載片２０に対して筆記性を持たせることができるものであるため、隠蔽情報記載片２０の明細情報印字領域２５に明細情報を印字することができる。このように、隠蔽はがきの送付先毎に異なる宛先情報と明細情報とを同一工程にて印字することにより、宛先情報と明細情報とのマッチングミスが生じることを回避することができる。また、隠蔽情報記載片２０に塗布された粘着剤３０ｂは、上述したように自己のみが貼着可能な自己貼着性を有するものであるため、隠蔽情報記載片２０に粘着剤３０ｂが塗布された後に隠蔽情報記載片２０の第１紙片部２１ａと第２紙片部２１ｂとが貼着される前の状態において、表面がべたついたり、他の物品等と接触してもそれと貼着されてしまったりすることがない。
【００２１】
次に、上述したように宛先情報記載片１０が粘着剤３０ａによって貼着された隠蔽情報記載片２０を、明細情報印字領域２５が設けられて粘着剤３０ｂが塗布された面が内側となるように折り部２２を介して折り畳み、加圧することにより、隠蔽情報記載片２０の第１紙片部２１ａと第２紙片部２１ｂとを貼着する。
【００２２】
このように隠蔽情報記載片２０の第１紙片部２１ａと第２紙片部２１ｂとが貼着された状態で隠蔽はがきが送付先に送付されることになる。
【００２３】
図４は、図１〜図３に示した隠蔽はがきの送付時の状態を示す図であり、（ａ）は宛先情報記載片１０側から見た図、（ｂ）は隠蔽情報記載片２０の第２紙片部２１ｂ側から見た図、（ｃ）は（ａ）に示したＡ−Ａ’断面図である。
【００２４】
上述した隠蔽はがきは、送付先への送付時においては、隠蔽情報記載片２０の明細情報印字領域２５が設けられた面が内側となるように折り部２２を介して折り畳まれ、隠蔽情報記載片２０の第１紙片部２１ａと第２紙片部２１ｂとが貼着された状態となっている。
【００２５】
そのため、図４（ａ）に示すように、隠蔽はがきの一方の面側においては、宛先情報記載片１０のみが表出し、それにより、宛先情報記載片１０の宛先情報印字領域１３に印字された宛先情報１３ａが外部から視認可能となっており、この宛先情報１３ａに従って隠蔽はがきが送付先に送付されることになる。この際、図４（ｃ）に示すように、表出した宛先情報記載片１０と明細情報が印字された隠蔽情報記載片２０との間に遮光印刷層２３が介在しているため、宛先情報記載片１０側から透かして見られた場合であっても、宛先情報記載片１０とは反対側、すなわち隠蔽情報記載片２０の第２紙片部２１ｂ側からの光が遮光印刷層２３によって遮られ、隠蔽情報記載片２０の明細情報印字領域２５に印字された明細情報が透かして見られてしまうことがない。また、宛先情報記載片１０の宛先情報１３ａが印字された面には、隠蔽情報記載片２０の明細情報印字領域２５に印字された明細情報が宛先情報記載片１０及び隠蔽情報記載片２０を透かして判読されてしまうことを不可能とするための地紋等が印刷されていないため、宛先情報１３ａが見にくくなってしまうことがない。
【００２６】
また、図４（ｂ）に示すように、隠蔽はがきの他方の面側においては、隠蔽情報記載片２０の第２紙片部２１ｂのみが表出する。この隠蔽情報記載片２０の第２紙片部２１ｂには、地紋が印刷されることにより地紋印刷層２４が形成されているため、隠蔽情報記載片２０の第２紙片部２１ｂ側から透かして見られた場合であっても、隠蔽情報記載片２０の明細情報印字領域２５に印字された明細情報が透かして見られてしまうことがない。
【００２７】
このように、図１〜図３に示した隠蔽はがきにおいては、隠蔽情報記載片２０の第１紙片部２１ａと第２紙片部２１ｂとが貼着された状態で送付されることにより、送付時においては、隠蔽情報記載片２０の明細情報印字領域２５に印字された明細情報が隠蔽され、さらに、明細情報印字領域２５に印字された明細情報が遮光印刷層２３と地紋印刷層２４とに挟まれた状態となっていることにより、この明細情報が透かして見られてしまうことがない。また、遮光印刷層２３が隠蔽情報記載片２０に設けられているため、宛先情報記載片１０側から見た場合に宛先情報記載片１０が黒ずみにくくなり、それによって宛先情報印字領域１３に印字された宛先情報１３ａが見にくくなってしまうことが回避される。このことは、遮光印刷層２３をスクリーン印刷によって形成した場合も同様の効果として得ることができる。
【００２８】
送付先に届けられた隠蔽はがきは、隠蔽情報記載片２０の第１紙片部２１ａと第２紙片部２１ｂとが剥離されて見開かれることになる。
【００２９】
図５は、図１〜図３に示した隠蔽はがきが見開かれた状態における見開き面を示す図である。
【００３０】
上述した隠蔽はがきが送付先に届けられると、隠蔽情報記載片２０の第１紙片部２１ａと第２紙片部２１ｂとが剥離される。隠蔽情報記載片２０の第１紙片部２１ａと第２紙片部２１ｂとを貼着している粘着剤３０ｂは、上述したように貼着後の剥離が可能なものであるため、互いに貼着された第１紙片部２１ａと第２紙片部２１ｂとを剥離することができる。
【００３１】
すると、図５に示すように、隠蔽情報記載片２０の明細情報印字領域２５に印字された明細情報２５ａが視認可能となり、隠蔽はがきの送付先において、明細情報２５ａが確認されることになる。
【００３２】
（第２の実施の形態）
図６は、本発明の隠蔽シートの第２の実施の形態となる隠蔽はがきを示す図であり、（ａ）は積層構造を示す図、（ｂ）は（ａ）に示したＡ−Ａ’断面図である。図７は、図６に示した隠蔽情報記載片１２０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。図８は、図６に示した宛先情報記載片１１０の構成を示す図であり、（ａ）は表面の構成を示す図、（ｂ）は隠蔽情報記載片１２０との貼着面の構成を示す図、（ｃ）は（ａ）に示したＡ−Ａ’断面図である。
【００３３】
本形態は図６に示すように、宛先情報記載片１１０と隠蔽情報記載片１２０とが粘着剤１３０ａによって貼着されて構成されている。粘着剤１３０ａは、宛先情報記載片１１０と隠蔽情報記載片１２０とを人手によって剥離しようとした場合に、宛先情報記載片１１０や隠蔽情報記載片１２０に紙むけ等が生じる程度に強い粘着力を有するものであり、それにより、宛先情報記載片１１０と隠蔽情報記載片１２０とは人手によって剥離することが困難に貼着されている。
【００３４】
隠蔽情報記載片１２０は図６及び図７に示すように、第１紙片部１２１ａと第２紙片部１２１ｂとが折り部１２２を介して折り畳み可能に連接して構成されている。なお、折り部１２２はミシン目や折り線等によって構成される。第１紙片部１２１ａの折り畳み状態内側となる面には、この隠蔽はがきの送付先に隠蔽状態にて通知する隠蔽情報となる明細情報を印字するための明細情報印字領域１２５が設けられている。第２紙片部１２１ｂの折り畳み状態外側となる面には、第１紙片部１２１ａと第２紙片部１２１ｂとの連接方向に延びる２辺に沿う領域を除く全面に、地紋が印刷されることにより第２の隠蔽構造となる地紋印刷層１２４が形成されており、第２紙片部１２１ｂの折り畳み状態内側となる面には、隠蔽情報記載片１２０が折り部１２２を介して折り畳まれた場合に第１紙片部１２１ａと第２紙片部１２１ｂとを剥離可能に貼着する擬似接着構造１４０が設けられている。この擬似接着構造１４０は、互いに剥離可能に貼着された透明な材料からなる２層のフィルム層１４１ａ，１４１ｂと、フィルム層１４１ａ，１４１ｂにそれぞれ塗布された粘着剤１４２ａ，１４２ｂと、粘着剤１４２ｂによってフィルム層１４１ｂに剥離可能に貼着された剥離紙１４３とから構成され、粘着剤１４２ａによって隠蔽情報記載片１２０に貼着されている。粘着剤１４２ａは、隠蔽情報記載片１２０からフィルム層１４１ａを人手によって剥離しようとした場合に、隠蔽情報記載片１２０に紙むけ等が生じる程度に強い粘着力を有するものであり、それにより、隠蔽情報記載片１２０とフィルム層１４１ａとは人手によって剥離することが困難に貼着されている。また、粘着剤１４２ｂも同様のものである。２層のフィルム層１４１ａ，１４１ｂは、それぞれポリエチレンやポリエステル等の合成樹脂からなり、不完全な溶着、あるいは接着力の弱い粘着剤等の適宜な手段によって互いに剥離可能に貼着されている。
【００３５】
宛先情報記載片１１０は図６及び図８に示すように、第１紙片部１１１ａのみから構成されており、その表面には、この隠蔽はがきの送付先の住所や氏名等を示す表示情報となる宛先情報を印字するための宛先情報印字領域１１３が設けられている。裏面には、外周を除く全面に第１の隠蔽構造となる遮光印刷層１１２が形成され、この遮光印刷層１１２を覆うようにその全面に粘着剤１３０ａが塗布されている。そして、この面が貼着面となって隠蔽情報記載片１２０の第１紙片部１２１ａの利用明細印字領域１２５が設けられた面とは反対側の面に貼着されている。遮光印刷層１１２は、例えば、第１の実施の形態にて示したものと同様のものが用いられる。
【００３６】
以下に、上記のように構成された隠蔽はがきの作製方法について説明する。
【００３７】
まず、宛先情報記載片１１０の一方の面に、料金別納を示す情報等の隠蔽はがきの送付先によらずに共通の情報のプレ印刷を施し、隠蔽はがきの送付先の住所や氏名等を示す宛先情報を印字するため宛先情報印字領域１１３を設けるとともに、他方の面に遮光性を有する塗料を塗工することにより遮光印刷層１１２を設ける。
【００３８】
また、隠蔽情報記載片１２０については、第１紙片領域１２１ａの一方の面に、枠情報等のプレ印刷を施すことにより、隠蔽はがきの送付先に隠蔽状態にて通知する明細情報を印字するための明細情報印字領域１２５を設けるとともに、他方の面においては、第２紙片部１２１ｂに地紋を印刷することにより地紋印刷層１２４を設ける。
【００３９】
次に、隠蔽情報記載片１２０の明細情報印字領域１２５が設けられた面のうち、第２紙片部１２１ｂに擬似接着構造１４０を積層し、粘着剤１４２ａによって貼着する。なお、隠蔽情報記載片１２０への擬似接着構造１４０の積層においては、隠蔽情報記載片１２０に明細情報印字領域１２５を設ける前に行ってもよい。
【００４０】
その後、宛先情報記載片１１０の遮光印刷層１１２が設けられた面の全面に粘着剤１３０ａを塗布し、宛先情報記載片１１０と隠蔽情報記載片１２０とを、宛先情報記載片１１０の粘着剤１３０ａが塗布された面と隠蔽情報記載片１２０の第１紙片部１２１ａの明細情報印字領域１２５が設けられた面とは反対側の面とが対向するように重ね合わせ、粘着剤１３０ａによって宛先情報記載片１１０と隠蔽情報記載片１２０とを貼着し、それにより、図６に示したように、第１紙片部１１１ａ，１２１ａと第２紙片部１２１ｂとが折り部１２２を介して折り畳み可能に連接した隠蔽はがきを作製する。
【００４１】
以下に、上述した隠蔽はがきの使用方法について説明する。
【００４２】
まず、宛先情報記載片１１０の宛先情報印字領域１１３に、隠蔽はがきの送付先の住所や氏名等を示す宛先情報を印字するとともに、隠蔽情報記載片１２０の明細情報印字領域１２５に、隠蔽はがきの送付先に隠蔽状態にて通知する明細情報を印字する。このように、隠蔽はがきの送付先毎に異なる宛先情報と明細情報とを同一工程にて印字することにより、宛先情報と明細情報とのマッチングミスが生じることを回避することができる。
【００４３】
次に、上述したように宛先情報記載片１１０が粘着剤１３０ａによって貼着された隠蔽情報記載片１２０を、第１紙片部１２１ａの明細情報印字領域１２５が設けられた面と第２紙片部１２１ｂの擬似接着構造１４０が積層された面とが対向するように折り部１２２を介して折り畳み、擬似接着構造１４０から剥離紙１４３を剥離し、擬似接着構造１４０の粘着剤１４２ｂによって擬似接着構造１４０を第１紙片部１２１ａの明細情報印字領域１２５が設けられた面に貼着し、それにより、隠蔽情報記載片１２０の第１紙片部１２１ａと第２紙片部１２１ｂとを貼着する。
【００４４】
このように隠蔽情報記載片１２０の第１紙片部１２１ａと第２紙片部１２１ｂとが貼着された状態で隠蔽はがきが送付先に送付されることになる。
【００４５】
図９は、図６〜図８に示した隠蔽はがきの送付時の状態を示す図であり、（ａ）は宛先情報記載片１１０側から見た図、（ｂ）は隠蔽情報記載片１２０の第２紙片部１２１ｂ側から見た図、（ｃ）は（ａ）に示したＡ−Ａ’断面図である。
【００４６】
上述した隠蔽はがきは、送付先への送付時においては、隠蔽情報記載片１２０の明細情報印字領域１２５が設けられた面が内側となるように折り部１２２を介して折り畳まれ、隠蔽情報記載片１２０の第１紙片部１２１ａと第２紙片部１２１ｂとが貼着された状態となっている。
【００４７】
そのため、図９（ａ）に示すように、隠蔽はがきの一方の面側においては、宛先情報記載片１１０のみが表出し、それにより、宛先情報記載片１１０の宛先情報印字領域１１３に印字された宛先情報１１３ａが外部から視認可能となっており、この宛先情報１１３ａに従って隠蔽はがきが送付先に送付されることになる。この際、図９（ｃ）に示すように、表出した宛先情報記載片１１０と明細情報が印字された隠蔽情報記載片１２０との間に遮光印刷層１１２が介在しているため、宛先情報記載片１１０側から透かして見られた場合であっても、宛先情報記載片１１０とは反対側、すなわち隠蔽情報記載片１２０の第２紙片部１２１ｂ側からの光が遮光印刷層１１２によって遮られ、隠蔽情報記載片１２０の明細情報印字領域１２５に印字された明細情報が透かして見られてしまうことがない。また、宛先情報記載片１１０の宛先情報１１３ａが印字された面には、隠蔽情報記載片１２０の明細情報印字領域１２５に印字された明細情報が宛先情報記載片１１０及び隠蔽情報記載片１２０を透かして判読されてしまうことを不可能とするための地紋等が印刷されていないため、宛先情報１１３ａが見にくくなってしまうことがない。
【００４８】
また、図９（ｂ）に示すように、隠蔽はがきの他方の面側においては、隠蔽情報記載片１２０の第２紙片部１２１ｂのみが表出する。この隠蔽情報記載片１２０の第２紙片部１２１ｂには、地紋が印刷されることにより地紋印刷層１２４が形成されているため、隠蔽情報記載片１２０の第２紙片部１２１ｂ側から透かして見られた場合であっても、隠蔽情報記載片１２０の明細情報印字領域１２５に印字された明細情報が透かして見られてしまうことがない。
【００４９】
このように、図６〜図９に示した隠蔽はがきにおいては、隠蔽情報記載片１２０の第１紙片部１２１ａと第２紙片部１２１ｂとが貼着された状態で送付されることにより、送付時においては、隠蔽情報記載片１２０の明細情報印字領域１２５に印字された明細情報が隠蔽され、さらに、明細情報印字領域１２５に印字された明細情報が遮光印刷層１１２と地紋印刷層１２４とに挟まれた状態となっていることにより、この明細情報が透かして見られてしまうことがない。
【００５０】
送付先に届けられた隠蔽はがきは、隠蔽情報記載片１２０の第１紙片部１２１ａと第２紙片部１２１ｂとが剥離されて見開かれることになる。
【００５１】
図１０は、図６〜図９に示した隠蔽はがきが見開かれた状態を示す図であり、（ａ）は見開き面を示す図、（ｂ）は（ａ）に示したＡ−Ａ’断面図である。
【００５２】
上述した隠蔽はがきが送付先に届けられると、隠蔽情報記載片１２０の第１紙片部１２１ａと第２紙片部１２１ｂとが剥離される。隠蔽情報記載片１２０の第１紙片部１２１ａと第２紙片部１２１ｂとが剥離されると、第１紙片部１２１ａと第２紙片部１２１ｂとを貼着していた擬似接着構造１４０が、２層のフィルム層１４１ａ，１４１ｂが互いに剥離可能に貼着された構成となっているものであることから、図１０（ｂ）に示すように、擬似接着構造１４０が２層のフィルム層１４１ａ，１４１ｂ間にて剥離することになる。
【００５３】
すると、図１０（ａ）に示すように、隠蔽情報記載片１２０の見開き面にはフィルム層１４１ａ，１４１ｂが表出し、第１紙片部１２１ａにおいては、明細情報印字領域１２５に印字された明細情報１２５ａが透明な材料からなるフィルム層１４１ｂを介して視認可能となり、隠蔽はがきの送付先において、明細情報１２５ａが確認されることになる。この際、隠蔽情報記載片１２０の明細情報印字領域１２５上にはフィルム層１４１ｂが貼着されているため、明細情報印字領域１２５に印字された明細情報が保護され、書き換えられてしまうことを回避することができる。
【００５４】
なお、上述した２つの実施の形態においては、宛先隠蔽情報記載片２０や宛先情報記載片１１０に設けられた第１の隠蔽構造として、例えば、カーボンブラック等の黒色系塗料が隠蔽情報記載片２０や宛先情報記載片１１０上に塗工されることにより形成された遮光印刷層２３，１１２を例に挙げて説明したが、本発明はこれに限らず、地紋が印刷された地紋印刷層であってもよい。また、隠蔽情報記載片２０，１２０に設けられた第２の隠蔽構造として地紋が印刷されてなる地紋印刷層２４，１２４を例に挙げて説明したが、本発明はこれに限らず、ベタ印刷による遮光印刷層であってもよい。
【００５５】
また、宛先情報１３ａ，１１３ａや明細情報２５ａ，１２５ａが印字によって宛先情報印字領域１３，１１３や明細情報印字領域２５，１２５に付与されているが、記入によって付与される構成であってもよい。
【００５６】
また、遮光印刷層２３，１１２は、隠蔽情報記載片２０の第１紙片部２１ａあるいは宛先情報記載片１１０の一方の面の周囲を除く全面に設けられているが、隠蔽情報記載片２０の第１紙片部２１ａあるいは宛先情報記載片１１０の一方の面の全面に設けた構成としてもよい。ただし、遮光印刷層２３，１１２を、隠蔽情報記載片２０の第１紙片部２１ａあるいは宛先情報記載片１０の一方の面の周囲を除く全面に設けた方が、隠蔽情報記載片２０の第１紙片部２１ａあるいは宛先情報記載片１０の一方の面の周囲においては、宛先情報記載片１０，１１０と隠蔽情報記載片２０，１２０とが粘着剤３０ａ，１３０ａを介して直接貼着されることになり、宛先情報記載片１０，１１０と隠蔽情報記載片２０，１２０との貼着力を高めることができる。
【００５７】
また、地紋印刷層２４，１２４は、隠蔽情報記載片２０，１２０の第２紙片部２１ｂ，１２１ｂの第１紙片部２１ａ，１２１ａと第２紙片部２１ｂ，１２１ｂとの連接方向に延びる２辺に沿う領域を除く全面に形成されているが、隠蔽情報記載片２０，１２０の第２紙片部２１ｂ，１２１ｂの折り畳み状態外側となる面の全面に形成してもよい。
【００５８】
また、上述した２つの実施の形態においては、宛先情報記載片１０，１１０と隠蔽情報記載片２０，１２０とを貼着する粘着剤３０ａ，１３０ａが宛先情報記載片１０，１１０に塗布されているが、隠蔽情報記載片２０，１２０の宛先情報記載片１０，１１０との貼着面に塗布してもよい。
【００５９】
また、隠蔽情報記載片２０，１２０の折り畳み状態内側となる面に、圧力により自己のみが貼着可能な自己貼着性を有する粘着剤３０ｂが塗布されたり、互いに剥離可能に貼着された２層のフィルム層１４１ａ，１４１ｂを有する擬似接着構造１４０を設けたりすることにより、剥離可能な接着構造を設けているが、粘着力が弱いことにより貼着後の剥離が可能となる粘着剤を隠蔽情報記載片２０，１２０の折り畳み状態内側となる面に塗布したり、隠蔽情報記載片２０，１２０の第１紙片部２１ａ，１２１ａと第２紙片部２１ｂ，１２１ｂのうちいずれか一方にニス等の剥離剤を塗布したりすることにより、剥離可能な接着構造を設けてもよい。
【００６０】
また、上述した２つの実施の形態においては、宛先情報記載片１０，１１０が第１紙片部１１ａ，１１１ａのみから構成され、隠蔽情報記載片２０，１２０が第１紙片部２１ａ，１２１ａと第２紙片部２１ｂ，１２１ｂとが折り部２２，１２２を介して折り畳み可能に連接して構成されたものを例に挙げて説明したが、本発明は第１紙片部が２枚のシートを有するものであればこれに限らず、例えば、宛先情報記載片が第１紙片部と第２紙片部とが折り部を介して折り畳み可能に連接して構成され、隠蔽情報記載片が第１紙片部のみから構成されたものであってもよい。
【図面の簡単な説明】
【００６１】
【図１】本発明の隠蔽シートの第１の実施の形態となる隠蔽はがきを示す図であり、（ａ）は積層構造を示す図、（ｂ）は（ａ）に示したＡ−Ａ’断面図である。
【図２】図１に示した隠蔽情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図３】図１に示した宛先情報記載片の構成を示す図であり、（ａ）は表面の構成を示す図、（ｂ）は隠蔽情報記載片との貼着面の構成を示す図、（ｃ）は（ａ）に示したＡ−Ａ’断面図である。
【図４】図１〜図３に示した隠蔽はがきの送付時の状態を示す図であり、（ａ）は宛先情報記載片側から見た図、（ｂ）は隠蔽情報記載片の第２紙片部側から見た図、（ｃ）は（ａ）に示したＡ−Ａ’断面図である。
【図５】図１〜図３に示した隠蔽はがきが見開かれた状態における見開き面を示す図である。
【図６】本発明の隠蔽シートの第２の実施の形態となる隠蔽はがきを示す図であり、（ａ）は積層構造を示す図、（ｂ）は（ａ）に示したＡ−Ａ’断面図である。
【図７】図６に示した隠蔽情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図８】図６に示した宛先情報記載片の構成を示す図であり、（ａ）は表面の構成を示す図、（ｂ）は隠蔽情報記載片との貼着面の構成を示す図、（ｃ）は（ａ）に示したＡ−Ａ’断面図である。
【図９】図６〜図８に示した隠蔽はがきの送付時の状態を示す図であり、（ａ）は宛先情報記載片側から見た図、（ｂ）は隠蔽情報記載片の第２紙片部側から見た図、（ｃ）は（ａ）に示したＡ−Ａ’断面図である。
【図１０】図６〜図９に示した隠蔽はがきが見開かれた状態を示す図であり、（ａ）は見開き面を示す図、（ｂ）は（ａ）に示したＡ−Ａ’断面図である。
【符号の説明】
【００６２】
１０，１１０    宛先情報記載片
１１ａ，１１１ａ，２１ａ，１２１ａ    第１紙片部
１３，１１３    宛先情報印字領域
１３ａ，１１３ａ    宛先情報
２０，１２０    隠蔽情報記載片
２１ｂ，１２１ｂ    第２紙片部
２２，１２２    折り部
２３，１１２    遮光印刷層
２４，１２４    地紋印刷層
２５，１２５    明細情報印字領域
２５ａ，１２５ａ    明細情報
３０ａ，３０ｂ，１３０ａ，１３０ｂ，１４２ａ，１４２ｂ    粘着剤
１４０    擬似接着構造
１４１ａ，１４１ｂ    フィルム層
１４３    剥離紙
【図１】
2008055685.tif 000003
【図２】
2008055685.tif 000004
【図３】
2008055685.tif 000005
【図４】
2008055685.tif 000006
【図５】
2008055685.tif 000007
【図６】
2008055685.tif 000008
【図７】
2008055685.tif 000009
【図８】
2008055685.tif 000010
【図９】
2008055685.tif 000011
【図１０】
2008055685.tif 000012